(57)【特許請求の範囲】
【請求項１】
ディスクドライブおよびこれを制御するフロントエンド制御部を有するフロントエンドユニットと、前記フロントエンドユニットとは別の基板に構成され、当該フロントエンドユニットによって得られたデータを再生するデコーダおよびこれを制御するバックエンド制御部を有するバックエンドユニットとを備えたディスクドライブ装置において、
前記フロントエンドユニットは、
自身が配置された基板上に、前記バックエンド制御部から使用される通信部およびローカルストレージを備え、
前記フロントエンドユニットおよび前記バックエンドユニットは、
前記バックエンド制御部から、前記フロントエンドユニットの前記通信部および前記ローカルストレージにアクセス可能に接続するインタフェース部を備えたことを特徴とするディスクドライブ装置。
【請求項２】
前記フロントエンドユニットは、自身が配置された基板上に、前記ディスクドライブ、前記通信部および前記ローカルストレージの使用状況に応じて、前記ディスクドライブ、前記通信部および前記ローカルストレージへの電力供給をそれぞれ開閉するスイッチを備えたことを特徴とする請求項１記載のディスクドライブ装置。
【請求項３】
前記フロントエンドユニットは、自身が配置された基板上に、前記ローカルストレージに保存されたデータをバックアップするローカルストレージをさらに備えたことを特徴とする請求項１または請求項２記載のディスクドライブ装置。
【請求項４】
前記バックエンドユニットは、自身が配置された基板上に、前記デコーダを含むデータ再生系統を複数備えたことを特徴とする請求項１から請求項３のうちのいずれか１項記載のディスクドライブ装置。
【発明の詳細な説明】
【技術分野】
【０００１】
この発明は、フロントエンドユニットとバックエンドユニットを別々の基板で構成したディスクドライブ装置に関する。
【背景技術】
【０００２】
従来のディスクドライブ装置には、フロントエンドユニットとバックエンドユニットを別々の基板で構成したものがある。フロントエンドユニットは、アナログ信号をデジタル化する処理、すなわちディスクドライブを制御する処理が実施される。バックエンドユニットでは、フロントエンドユニットで得られたデジタル信号の処理結果をアナログ化する処理、すなわちディスクから読み出された映像や音声のデコード制御が行われる。【０００３】
また、特許文献１には、ハードディスクドライブ（ＨＤＤ）またはフラッシュメモリドライブ（ＦＭＤ）などの複数の記憶デバイス、ドライブ選択部およびインタフェース部を備えた記憶装置に、ＣＰＵとＡＴＡ（Advanced Technology Attachment）コントローラを備えたホストを接続した記憶システムが開示されている。このシステムでは、ホストが、ＡＴＡインタフェースを介して複数の記憶デバイスへのアクセスを制御している。
【先行技術文献】
【特許文献】
【０００４】
【特許文献１】特開２００７−２６４５３号公報
【発明の概要】
【発明が解決しようとする課題】
【０００５】
フロントエンドユニットの基板には、ディスクドライブの制御構成が配置されており、ユーザによってディスクが装置内に挿入されるディスクスロットが、フロントエンドユニットの基板周辺に設けられていた。つまり、ユーザ側に向けられたディスクスロットを設けた面は、フロントエンドユニットの周辺に形成される。
一方、例えばＢＤ（Blu-ray Disk（登録商標））を再生する場合に、バックエンドユニットの処理には、ＢＤ規格が求めるローカルストレージとイーサネット（登録商標；以下、記載を省略する）による通信は、バックエンドユニットにおける映像・音声のデコード制御に必須である。このため、従来のディスクドライブ装置では、ローカルストレージとイーサネットの通信部がバックエンドユニットの基板上に実装されていた。
【０００６】
従って、イーサネットコネクタおよびローカルストレージのコネクタ（ローカルストレージを着脱可能な記憶メディアで構成した場合）を、フロントエンドユニット周辺に形成されたユーザ側に向けられる面に配置する必要があった。
このように、従来のディスクドライブ装置では、バックエンドユニットの基板上に実装した構成におけるコネクタなどを、上記ユーザ側に向けられる面に配置する必要がある。このため、バックエンドユニットを不可避的にフロントエンドユニットの周辺に配置しなければならず、バックエンドユニットの設置に位置的な制約があるという課題があった。【０００７】
なお、特許文献１では、ホストのＣＰＵが、ＡＴＡインタフェースを介して複数の記憶デバイスへのアクセスを制御している場合を例に挙げており、本発明のように、フロントエンドユニットとバックエンドユニットを別々の基板で構成したディスクドライブ装置に関する記載がない。このため、フロントエンドユニットとバックエンドユニットを別々の基板で構成したディスクドライブ装置に対し、特許文献１の発明をそのまま適用することができない。【０００８】
この発明は、上記のような課題を解決するためになされたもので、バックエンドユニットの設置における位置的な制約を解消することができるディスクドライブ装置を得ることを目的とする。
【課題を解決するための手段】
【０００９】
この発明に係るディスクドライブ装置は、ディスクドライブおよびこれを制御するフロントエンド制御部を有するフロントエンドユニットと、フロントエンドユニットとは別の基板に構成され、当該フロントエンドユニットによって得られたデータを再生するデコーダおよびこれを制御するバックエンド制御部を有するバックエンドユニットとを備えたディスクドライブ装置において、フロントエンドユニットが、自身が配置された基板上に、バックエンド制御部から使用される通信部およびローカルストレージを備え、フロントエンドユニットおよびバックエンドユニットが、バックエンド制御部から、フロントエンドユニットの通信部およびローカルストレージにアクセス可能に接続するインタフェース部を備える。
【発明の効果】
【００１０】
この発明によれば、バックエンドユニットの設置における位置的な制約を解消することができるという効果がある。
【図面の簡単な説明】
【００１１】
【図１】この発明の実施の形態１に係るディスクドライブ装置の構成を示す図である。
【図２】フロントエンドユニットとバックエンドユニットの基板構成を示す図である。
【図３】この発明の実施の形態２に係るディスクドライブ装置の構成を示す図である。
【図４】実施の形態２に係るディスクドライブ装置による動作を示すフローチャートである。
【図５】この発明の実施の形態３に係るディスクドライブ装置の構成を示す図である。
【図６】実施の形態３に係るディスクドライブ装置による動作を示すフローチャートである。
【図７】この発明の実施の形態４に係るディスクドライブ装置の構成を示す図である。
【発明を実施するための形態】
【００１２】
以下、この発明をより詳細に説明するため、この発明を実施するための形態について、添付の図面に従って説明する。
実施の形態１．
図１は、この発明の実施の形態１に係るディスクドライブ装置の構成を示す図である。図１において、実施の形態１に係るディスクドライブ装置１は、基板構成がフロントエンドユニット２とバックエンドユニット３に分割されている。
フロントエンドユニット２の基板には、ＣＰＵ４ａ、ディスクドライブ５、メモリ７、およびＩ／Ｆ部１０ａに加え、バックエンドユニット３での処理に必要な通信部８およびローカルストレージ９が配置される。また、バックエンドユニット３の基板には、ＣＰＵ４ｂ、Ｉ／Ｆ部１０ｂ、デコーダ１１およびＡＶ出力部１２が配置される。
【００１３】
フロントエンド２のＣＰＵ４ａは、ディスクドライブ５の光ピックアップ６の動作を制御してディスク５ａから映像・音声データを読み出しメモリ７へ伝送する。バックエンドユニット３のＣＰＵ４ｂは、Ｉ／Ｆ部１０ａ，１０ｂおよび伝送ケーブル１０ｃを介してフロントエンドユニット２のメモリ７にアクセスし、ディスク５ａから読み出した映像・音声データを取得する。
次に、ＣＰＵ４ｂは、デコーダ１１を制御して、フロントエンドユニット２から取得した映像・音声データをデコードし、ＡＶ出力部１２へ出力する。ＡＶ出力部１２は、モニタ１３でデコード結果の映像および音声を出力する。
【００１４】
また、記憶メディアの規格によっては、通信部８を用いた通信機能とローカルストレージへの読み書きアクセス機能が必須な場合がある。例えば、ＢＤの規格では、ＢＤから読み出した映像・音声データを再生してモニタ１３で出力する際に、イーサネットなどの通信部８を用いてネットワーク上のアップデートデータおよびコンテンツの新作情報などを取得することが想定されている。さらに、取得されたアップデートデータ、コンテンツの新作情報およびコンテンツの利用により生じたデータ（例えば、ゲームのハイスコア等）をローカルストレージ９に保存する用途が想定されている。
【００１５】
そこで、ＡＴＡＰＩ（Advanced Technology Attachment Packet Interface）等の通信インタフェースであるＩ／Ｆ部１０ａ，１０ｂを設けて、バックエンドユニット３による映像・音声データの再生において通信部８およびローカルストレージ９が必要になると、Ｉ／Ｆ部１０ａ，１０ｂを介して、バックエンドユニット３のＣＰＵ４ｂからフロントエンドユニット２の通信部８およびローカルストレージ９へアクセスする。ＡＴＡＰＩは、フロントエンドユニット２の通信部８およびローカルストレージ９とバックエンドユニット３のＣＰＵ４ｂとの間で双方向通信が可能な通信インターフェースである。
【００１６】
図２は、フロントエンドユニットとバックエンドユニットの基板構成を示す図である。ディスクドライブ５は、ディスク５ａが挿入または搬出されるディスクスロットを有している。また、通信部８には、イーサネットカードの挿入スロットやイーサネットコネクタが形成される。さらに、ローカルストレージ９には、ユーザにより着脱される記憶メディアである場合はその着脱スロットがあり、また外部記憶装置である場合にはその接続コネクタが形成される。これらのスロットやコネクタは、フロントパネル面１４のようにユーザ側に向けられる面に配置される。
【００１７】
そこで、実施の形態１に係るディスクドライブ装置１では、外部とのインタフェースが必要なハードウェアである、ディスクドライブ５、通信部８およびローカルストレージ９を、図２に示すようにフロントエンドユニット２の基板上に集約配置している。
また、バックエンドユニット３は、Ｉ／Ｆ部１０ａ，１０ｂおよび伝送ケーブル１０ｃからなるＡＴＡＰＩを介して、通信部８およびローカルストレージ９へアクセスする。
このように構成することで、バックエンドユニット３の基板をフロントエンドユニット２の周辺に配置する必要がなくなり、バックエンドユニット３の設置における位置的な制約を解消することができる。例えば、フロントエンドユニット２をフロントパネル面１４の近傍に設置し、バックエンドユニット３は、フロントパネル面１４から離れて設置してもよい。
【００１８】
さらに、ディスクドライブ５、通信部８およびローカルストレージ９は、ディスク５ａ（記憶メディア）の種別に応じて使用されるハードウェア構成であることから、これらをフロントエンドユニット２に集約し、バックエンドユニット３には、ディスク５ａから読み出した映像・音声データを再生する構成のみを配置している。これにより、バックエンドユニット３におけるデータ再生用のソフトウェアを切り替えるだけで、１つのバックエンドユニット３で、ディスク５ａの種別に応じた様々なフロントエンドユニット２に対応することができる。
【００１９】
以上のように、この実施の形態１によれば、フロントエンドユニット２が、自身が配置された基板上に、ＣＰＵ４ｂから使用される通信部８およびローカルストレージ９を備え、フロントエンドユニット２およびバックエンドユニット３が、ＣＰＵ４ｂから、フロントエンドユニット２の通信部８およびローカルストレージ９にアクセス可能に接続するＩ／Ｆ部１０ａ，１０ｂを備える。このように構成することにより、バックエンドユニット３の設置における位置的な制約を解消することができる。
【００２０】
実施の形態２．
実施の形態２は、ディスクの種別に応じて使用されるハードウェア構成をフロントエンドユニットに集約して、バックエンドユニットで使用するか否かに応じてフロントエンドユニットの構成への電力供給を制御するものである。
【００２１】
図３は、この発明の実施の形態２に係るディスクドライブ装置の構成を示す図であり、図１と同一またはこれに相当する構成には同一符号を付して詳細な説明を省略する。
図３において、実施の形態２に係るディスクドライブ装置１Ａは、基板構成がフロントエンドユニット２Ａとバックエンドユニット３に分割されている。
フロントエンドユニット２Ａの基板には、ＣＰＵ４ａ、ディスクドライブ５、メモリ７、通信部８、ローカルストレージ９、およびＩ／Ｆ部１０ａに加えて、スイッチ１５ａ〜１５ｃが配置される。また、バックエンドユニット３の基板には、ＣＰＵ４ｂ、Ｉ／Ｆ部１０ｂ、デコーダ１１およびＡＶ出力部１２が配置される。
【００２２】
スイッチ１５ａ〜１５ｃは、ＣＰＵ４ａ，４ｂから開閉が制御されるスイッチである。
ここで、スイッチ１５ａは、ディスクドライブ５への電力供給を開閉するスイッチである。以降では、スイッチ１５ａを、ディスクドライブ５における光ピックアップ６への電力供給を開閉するスイッチであるものとして説明する。なお、スイッチ１５ａは、ディスクドライブ５全体の電力供給を開閉してもよい。
スイッチ１５ｂは、通信部８への電力供給を開閉するスイッチであり、スイッチ１５ｃは、ローカルストレージ９への電力供給を開閉するスイッチである。
【００２３】
次に動作について説明する。
図４は、実施の形態２に係るディスクドライブ装置による動作を示すフローチャートである。この図４に沿って実施の形態２における電力供給制御の詳細を説明する。
まず、フロントエンドユニット２のＣＰＵ４ａは、フロントエンドユニット２でデータ読み出しを行う記憶メディア（再生メディア）の種別を判定する（ステップＳＴ１）。
例えば、外部からの入力操作により、ディスクドライブ５でのディスク再生が指示されていれば再生メディアをディスクと判定し、ローカルストレージ９の再生が指示されている場合には、再生メディアをローカルストレージと判定する。
【００２４】
再生メディアがディスク５ａであると判定した場合（ステップＳＴ１；ディスク）、ＣＰＵ４ａは、ディスクドライブ５の光ピックアップ６の動作を制御してディスク５ａから映像・音声データを読み出す。このとき、ＣＰＵ４ａは、映像・音声データのフォーマットがＢＤＭＶ（Blu-ray Disk（登録商標）Movie）であるか否かを判定する（ステップＳＴ２）。
例えば、光ピックアップ６から照射したレーザ光のディスク５ａでの反射光を検出し、検出した反射光からディスク５ａがＢＤであるか否かを判別する。ディスク５ａがＢＤであると判別した場合に、当該ディスク５ａから読み出した映像・音声データは、ＢＤＭＶであると判定する。
【００２５】
映像・音声データのフォーマットがＢＤＭＶであると判定した場合（ステップＳＴ２；ＢＤＭＶ）、ＣＰＵ４ａは、光ピックアップ６を用いたディスク５ａからのデータ読み出しに続き、バックエンドユニット３における映像・音声データの再生処理で通信部８およびローカルストレージ９が使用されると判断し、スイッチ１５ａ〜１５ｃを全てオンとして、光ピックアップ６、通信部８、ローカルストレージ９への電力供給を継続する（ステップＳＴ３）。
【００２６】
また、映像・音声データのフォーマットがＢＤＭＶではないと判定した場合（ステップＳＴ２；ＢＤＭＶ以外）、ＣＰＵ４ａは、光ピックアップ６を用いたデータ読み出しは継続するが、バックエンドユニット３における映像・音声データの再生処理で通信部８およびローカルストレージ９は使用されないと判断し、スイッチ１５ａのみをオンとし、スイッチ１５ｂ，１５ｃをオフとして、光ピックアップ６への電力供給を継続し、通信部８とローカルストレージ９への電力供給を停止する（ステップＳＴ４）。例えば、ＤＶＤ−ＶＩＤＥＯの再生を行う場合には、通信部８でデータ取得を行ったり、それに伴うローカルストレージ９へのアクセスが行われないので、通信部８とローカルストレージ９への電力供給を停止すれば、省電力化を図ることができる。
【００２７】
一方、再生メディアがローカルストレージ９であると判定した場合（ステップＳＴ１；ローカルストレージ）、ＣＰＵ４ａは、光ピックアップ６を用いたデータ読み出しおよび通信部８による通信処理は行われないと判断し、スイッチ１５ｃのみをオンとし、スイッチ１５ａ，１５ｂをオフとして、光ピックアップ６と通信部８への電力供給を停止し、ローカルストレージ９への電力供給を継続する（ステップＳＴ５）。
【００２８】
以上のように、この実施の形態２によれば、フロントエンドユニット２Ａが、自身が配置された基板上に、ディスクドライブ５、通信部８およびローカルストレージ９の使用状況に応じて、ディスクドライブ５、通信部８およびローカルストレージ９への電力供給をそれぞれ開閉するスイッチ１５ａ〜１５ｃを備える。これにより、上記実施の形態１と同様な効果が得られるとともに、電力供給を停止することにより省電力化を図ることが可能である。
【００２９】
実施の形態３．
実施の形態３では、バックエンドユニットでの再生処理で生じたデータのバックアップを保存するローカルストレージを、着脱可能なローカルストレージとは別に設けた構成について述べる。
【００３０】
図５は、この発明の実施の形態３に係るディスクドライブ装置の構成を示す図であり、図１と同一またはこれに相当する構成には同一符号を付して詳細な説明を省略する。
図５において、実施の形態３に係るディスクドライブ装置１Ｂは、基板構成がフロントエンドユニット２Ｂとバックエンドユニット３に分割されている。
フロントエンドユニット２Ｂの基板には、ＣＰＵ４ａ、ディスクドライブ５、メモリ７、通信部８、ローカルストレージ９、およびＩ／Ｆ部１０ａに加えて、内蔵ローカルストレージ９Ａが配置される。また、バックエンドユニット３の基板には、ＣＰＵ４ｂ、Ｉ／Ｆ部１０ｂ、デコーダ１１およびＡＶ出力部１２が配置される。
【００３１】
実施の形態３では、ローカルストレージ９が、ユーザによる着脱が可能な記憶装置から構成される。例えば、ＵＳＢコネクタで着脱されるフラッシュメモリ、カードスロットを介して着脱されるＳＤカードなどが挙げられる。
また、内蔵ローカルストレージ９Ａは、フロントエンドユニット２の基板上に実装した記憶部である。例えば、ハードディスクドライブ（ＨＤＤ）装置やＲＡＭで実現できる。
【００３２】
次に動作について説明する。
図６は、実施の形態３に係るディスクドライブ装置による動作を示すフローチャートである。この図６に沿って実施の形態３におけるローカルストレージへのデータ保存の詳細を説明する。
まず、ＣＰＵ４ａは、ＣＰＵ４ｂからのローカルストレージに対するアクセス要求が、データ読み出しであるかデータ書き込みであるかを判定する（ステップＳＴ１ａ）。
例えば、バックエンドユニット３においてＢＤＭＶの映像・音声データが再生されて、ＣＰＵ４ｂが、ＢＤ規格が求めるデータ通信処理や、それに伴うローカルストレージへのアクセスを行った場合に相当する。
【００３３】
ローカルストレージに対するアクセス要求がデータ書き込みである場合（ステップＳＴ１ａ；書き込み）、ＣＰＵ４ａは、ＣＰＵ４ｂから書き込み要求されたデータを内蔵ローカルストレージ９Ａに保存する（ステップＳＴ２ａ）。
この後、ＣＰＵ４ａは、ローカルストレージ９が挿入済みであるか否かを判定する（ステップＳＴ３ａ）。すなわち、ローカルストレージ９がスロットに挿入あるいはコネクタに装着されているかどうかが判定される。
【００３４】
ローカルストレージ９が挿入済みであると判定した場合（ステップＳＴ３ａ；ＹＥＳ）、ＣＰＵ４ａは、ローカルストレージ９が書き込み禁止であるか否かを判定する（ステップＳＴ４ａ）。ここで、ローカルストレージ９が書き込み禁止であると判定された場合（ステップＳＴ４ａ；ＹＥＳ）、処理を終了する。
【００３５】
ローカルストレージ９が書き込み禁止でないと判定した場合（ステップＳＴ４ａ；ＮＯ）、ＣＰＵ４ａは、ステップＳＴ２ａで内蔵ローカルストレージ９Ａに保存したデータをローカルストレージ９にも保存する（ステップＳＴ５ａ）。すなわち、内蔵ローカルストレージ９Ａに保存したデータをローカルストレージ９にコピーする。
このようにすることで、ＢＤの再生で生じたデータが、ローカルストレージ９と内蔵ローカルストレージ９Ａの双方で保存される。
【００３６】
一方、ローカルストレージに対するアクセス要求がデータ読み出しである場合（ステップＳＴ１ａ；読み出し）、ＣＰＵ４ａは、ローカルストレージ９が挿入済みであるか否かを判定する（ステップＳＴ６ａ）。ここで、ローカルストレージ９が挿入済みであると判定した場合（ステップＳＴ６ａ；ＹＥＳ）、ＣＰＵ４ａは、読み出し要求されたデータをローカルストレージ９から読み出す処理を開始する（ステップＳＴ７ａ）。
【００３７】
読み出し要求されたデータ（対象情報）がローカルストレージ９にある場合（ステップＳＴ８ａ；ＹＥＳ）、ＣＰＵ４ａは、ローカルストレージ９から対象情報を読み出してメモリ７へ伝送する。バックエンドユニット３のＣＰＵ４ｂは、Ｉ／Ｆ部１０ａ，１０ｂと伝送ケーブル１０ｃを介して、フロントエンドユニット２のメモリ７にアクセスし、対象情報を取得する。
読み出し要求されたデータ（対象情報）がローカルストレージ９にない場合（ステップＳＴ８ａ；ＮＯ）、ＣＰＵ４ａは、内蔵ローカルストレージ９Ａに保存されているデータのうちから、当該データ読み出す処理を実行する（ステップＳＴ９ａ）。
【００３８】
以上のように、この実施の形態３によれば、フロントエンドユニット２Ｂが、自身が配置された基板上に、ローカルストレージ９に保存されたデータをバックアップする内蔵ローカルストレージ９Ａをさらに備えたので、上記実施の形態１と同様な効果が得られるとともに、ＢＤ規格で必要なローカルストレージ９へのアクセスについて、ユーザの利便性を向上させることができる。
【００３９】
実施の形態４．
図７は、この発明の実施の形態４に係るディスクドライブ装置の構成を示す図であり、図１と同一またはこれに相当する構成には同一符号を付して詳細な説明を省略する。
図７において、実施の形態４に係るディスクドライブ装置１Ｃは、基板構成がフロントエンドユニット２とバックエンドユニット３Ａに分割されている。
フロントエンドユニット２の基板には、ＣＰＵ４ａ、ディスクドライブ５、メモリ７、およびＩ／Ｆ部１０ａに加えて、通信部８とローカルストレージ９が配置される。
また、バックエンドユニット３Ａの基板には、ＣＰＵ４ｂとＩ／Ｆ部１０ｂに加えて、デコーダ１１ａおよびＡＶ出力部１２ａからなるデータ再生系統とデコーダ１１ｂおよびＡＶ出力部１２ｂからなるデータ再生系統とが配置される。なお、データ再生系統の数は２以上であればよい。
【００４０】
フロントエンドユニット２のＣＰＵ４ａは、ディスクドライブ５の光ピックアップ６の動作を制御してディスク５ａから映像・音声データを読み出しメモリ７へ伝送する。バックエンドユニット３ＡのＣＰＵ４ｂは、Ｉ／Ｆ部１０ａ，１０ｂと伝送ケーブル１０ｃを介して、フロントエンドユニット２のメモリ７にアクセスし、ディスク５ａから読み出した映像・音声データを取得する。
【００４１】
次に、ＣＰＵ４ｂは、デコーダ１１ａ，１１ｂを制御して、フロントエンドユニット２から取得した映像・音声データをデコードし、ＡＶ出力部１２ａ，１２ｂへ出力する。
ＡＶ出力部１２ａ，１２ｂは、モニタ１３ａ，１３ｂでデコード結果の映像および音声を出力する。このように、バックエンドユニット３Ａにおいて再生系統を二重化することで、映像・音声データの同時デコードまたは同時出力が可能である。
【００４２】
なお、実施の形態４において、ローカルストレージ９は、ＢＤ規格が求めるローカルストレージへのアクセスに使用するだけでなく、オーディオファイルなどの任意のユーザファイルを格納して再生することができる。
例えば、ＢＤＭＶの映像・音声データを再生する際に、ＢＤ規格が求めるローカルストレージ９へのアクセスを行いながら、同一のローカルストレージ９の別の記憶領域にあるユーザファイルを同時再生する。
この場合、Ｉ／Ｆ部１０ａ，１０ｂと伝送ケーブル１０ｃにおけるデータの転送レートは、ＢＤＭＶの再生と、ＢＤ規格が求めるローカルストレージ９へのアクセスと、ローカルストレージ９から読み出したユーザファイルの再生のそれぞれを同時に行うために必要な転送レートとする。
また、ローカルストレージ９へのデータ転送レートは、ＢＤ規格が求めるローカルストレージ９へのアクセスと、ローカルストレージ９に保存したユーザファイルの再生をそれぞれ同時に行うのに必要な転送レートとする。
【００４３】
以上のように、この実施の形態４によれば、バックエンドユニット３Ａが、自身が配置された基板上に、デコーダ１１ａ，１１ｂを含むデータ再生系統を複数備えたので、上記実施の形態１と同様な効果が得られるとともに、ＢＤ規格が求めるローカルストレージ９へのアクセスを行いながら、当該ローカルストレージ９の一部の記憶領域に任意のユーザファイルを格納して再生することが可能である。
【００４４】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４５】
この発明に係るディスクドライブ装置は、バックエンドユニットの設置における位置的な制約を解消することができるので、車種に応じて様々な寸法の構成が要求される車載用のディスクドライブ装置に好適である。
【符号の説明】
【００４６】
１，１Ａ〜１Ｃ  ディスクドライブ装置、２，２Ａ，２Ｂ  フロントエンドユニット、３，３Ａ  バックエンドユニット、４ａ，４ｂ  ＣＰＵ、５  ディスクドライブ、５ａ  ディスク、６  光ピックアップ、７  メモリ、８  通信部、９  ローカルストレージ、９Ａ  内蔵ローカルストレージ、１０ａ，１０ｂ  Ｉ／Ｆ部、１０ｃ  伝送ケーブル、１１，１１ａ，１１ｂ  デコーダ、１２，１２ａ，１２ｂ  ＡＶ出力部、１３，１３ａ，１３ｂ  モニタ、１４  フロントパネル面、１５ａ〜１５ｃ  スイッチ。
【図１】
0005383955.tif 000002
【図２】
0005383955.tif 000003
【図３】
0005383955.tif 000004
【図４】
0005383955.tif 000005
【図５】
0005383955.tif 000006
【図６】
0005383955.tif 000007
【図７】
0005383955.tif 000008